(57)【要約】【課題】自動車の車体を構成するパネルへの取り付け、及び、パネルからの取り外しを容易に行うことができるグロメットを提供する。【解決手段】グロメット１は弾性材料で構成され、グロメット本体５と、第１シール部６と、第２シール部７とを備えている。グロメット本体５は筒状に形成されて内側にワイヤハーネス４を通すとともにパネル２の孔３内に挿入される。第１シール部６は、グロメット本体５の一端部１４から外周方向に突出した円環状に形成されている。第２シール部７は、グロメット本体５の外周面１１ａから突出し且つ該外周面１１ａから突出するにしたがって徐々に第１シール部６に近づく方向に傾斜した筒状に形成されて、第１シール部６との間にパネル２を挟む。そして、グロメット本体５と第２シール部７との連結箇所の外周面１３ｃ，１７から凹に形成され且つグロメット本体５の周方向に沿って延在した凹溝８が設けられている。【選択図】図４
2009183084.tif 000002
【特許請求の範囲】
【請求項１】
弾性材料から構成され且つ筒状に形成されて、内側にワイヤハーネスを通すとともに、パネルの孔内に挿入されるグロメット本体と、
前記グロメット本体の一端部から外周方向に突出した円環状の第１シール部と、
前記グロメット本体の外周面から突出した円環状に形成され且つ前記第１シール部との間に前記パネルを挟む第２シール部と、を備えたグロメットにおいて、
前記第２シール部が、前記外周面から突出するにしたがって徐々に前記第１シール部に近づく方向に傾斜した筒状に形成され、
前記グロメット本体と前記第２シール部との連結箇所の外周面から凹の凹溝が設けられるとともに、当該凹溝が前記グロメット本体の周方向に沿って延在していることを特徴とするグロメット。
【請求項２】
前記グロメット本体は、外径が前記パネルの前記孔の内径よりも小さく形成されているとともに、
前記第１シール部と前記第２シール部との間の前記外周面から凸に形成され且つ前記パネルの前記孔の内面を押圧する凸部が設けられていることを特徴とする請求項１に記載のグロメット。
【発明の詳細な説明】
【技術分野】
【０００１】
本発明は、車両としての自動車の車体等を構成するパネルに取り付けられ且つ内側にワイヤハーネスを収容するグロメットに関する。
【背景技術】
【０００２】
車両としての自動車の車体等を構成するパネルを貫通させてワイヤハーネスを配索する際には、該ワイヤハーネスに水などの液体が付着することを防止するために従来から種々のグロメットが提案されている（例えば、特許文献１を参照）。
【０００３】
特許文献１に開示されたグロメットは、ゴムなどの弾性材料で構成されており、前述したパネルに取り付けられ且つ内側にワイヤハーネスを通すグロメット本体と、該グロメット本体をワイヤハーネスの所定の位置に固定するテープ状の固定部材とを備えている。
【０００４】
グロメット本体は、ハーネス取付部と、パネル取付部とを一体に備えている。ハーネス取付部は、円筒状に形成され且つ一端部がパネル取付部に連なっている。ハーネス取付部は、内側にワイヤハーネスが挿通されるとともに、前述した固定部材が当該ハーネス取付部とワイヤハーネスとの外周に巻回されて、該ワイヤハーネスと固定される。
【０００５】
パネル取付部は、椀状に形成されており、一端部に前述したパネルに設けられた孔に係止するフランジが設けられるとともに、他端部がハーネス取付部と連なっている。また、パネル取付部には、当該パネル取付部の内面からハーネス取付部から離れる方向に突出した棒状の連結部材が設けられている。この連結部材は、パネル取付部の内面から該パネル取付部の外側まで延出しており、先端部がワイヤハーネスの外周面に重ねられてテープ等で固定されている。
【０００６】
フランジは、パネル取付部の一端部から該パネル取付部の外周方向に突出し且つ該パネル取付部の周方向に沿って延在した円環状に形成されている。フランジには、当該フランジの外周面から凹状に形成された前記パネルの孔と嵌合する嵌合溝が設けられている。この嵌合溝は、フランジの周方向に沿って延在している。
【０００７】
前述した構成のグロメットは、グロメット本体の内側にワイヤハーネスを通し且つ該グロメット本体のハーネス取付部とワイヤハーネスとを固定部材で固定した状態で、嵌合溝をパネルの孔に嵌合させて、グロメット本体のパネル取付部のフランジが前記孔と係止することによって、パネルに取り付けられる。こうして、グロメットは、ワイヤハーネスに外部からの水などの液体が付着することを防止している。
【特許文献１】特開２０００−２３３６９６号公報
【発明の開示】
【発明が解決しようとする課題】
【０００８】
しかしながら、前述したグロメットは、パネルから取り外すには、連結部材をワイヤハーネスとともにパネルから離れる方向に引張ることにより、グロメットをパネルの孔から引き抜くので、ワイヤハーネス及び連結部材を引張るのに大きな力が必要なため、作業者に負担がかかっていた。また、パネルに取り付けるには、グロメット本体のパネル取付部をパネルの孔内に圧入して嵌合溝を該孔と嵌合させるので、グロメットをパネルの孔に押し込むのに大きな力が必要なため、作業者に負担がかかっていた。さらに、連結部材をワイヤハーネスに固定するため、部品点数及び組み付け作業工数が増加するという問題があった。
【０００９】
したがって、本発明は、自動車の車体を構成するパネルへの取り付け、及び、パネルからの取り外しを容易に行うことができるグロメットを提供することを目的とする。
【課題を解決するための手段】
【００１０】
前記課題を解決し目的を達成するために、請求項１に記載された発明は、弾性材料から構成され且つ筒状に形成されて、内側にワイヤハーネスを通すとともに、パネルの孔内に挿入されるグロメット本体と、前記グロメット本体の一端部から外周方向に突出した円環状の第１シール部と、前記グロメット本体の外周面から突出した円環状に形成され且つ前記第１シール部との間に前記パネルを挟む第２シール部と、を備えたグロメットにおいて、前記第２シール部が、前記外周面から突出するにしたがって徐々に前記第１シール部に近づく方向に傾斜した筒状に形成され、前記グロメット本体と前記第２シール部との連結箇所の外周面から凹の凹溝が設けられるとともに、当該凹溝が前記グロメット本体の周方向に沿って延在していることを特徴とするグロメットである。
【００１１】
請求項２に記載された発明は、請求項１に記載の発明において、前記グロメット本体は、外径が前記パネルの前記孔の内径よりも小さく形成されているとともに、前記第１シール部と前記第２シール部との間の前記外周面から凸に形成され且つ前記パネルの前記孔の内面を押圧する凸部が設けられていることを特徴とするものある。
【００１２】
請求項１に記載された発明によれば、第２シール部がグロメット本体の外周面から突出するにしたがって徐々に第１シール部に近づく方向に傾斜した筒状に形成されるとともに、グロメット本体と第２シール部との連結箇所の外周面から凹で且つグロメット本体の周方向に沿って延在して形成された凹溝が設けられているので、凹溝が軸となって第２シール部を第１シール部から離れる方向に曲げ易くすることができる。このため、パネルの孔からグロメットを引き抜いて取り外す際の引張力を低減することができる。
【００１３】
また、凹溝によって第２シール部を第１シール部に近づく方向へより曲げ易くすることができるので、パネルの孔にグロメットを押し込んで取り付ける際の挿入力を低減することができる。
【００１４】
請求項２に記載された発明によれば、グロメット本体は、外径がパネルの孔の内径よりも小さく形成されているとともに、第１シール部と第２シール部との間の当該グロメット本体の外周面から凸に形成され且つパネルの孔の内面を押圧する凸部が設けられているので、グロメット本体とパネルの孔との接する面積を小さくすることができる。このため、パネルの孔にグロメットを押し込んで取り付ける際の挿入力、及び、パネルの孔からグロメットを引き抜いて取り外す際の引張力を低減することができる。
【発明の効果】
【００１５】
請求項１に記載された発明は、凹溝が軸となって第２シール部を第１シール部から離れる方向に曲げ易くすることができる。このため、パネルの孔からグロメットを引き抜いて取り外す際の引張力を低減することができる。したがって、グロメットのパネルからの取り外しを容易に行うことができる。
【００１６】
また、凹溝によって第２シール部を第１シール部に近づく方向へより曲げ易くすることができるので、パネルの孔にグロメットを押し込んで取り付ける際の挿入力を低減することができる。したがって、グロメットのパネルへの取り付けを容易に行うことができる。
【００１７】
請求項２に記載された発明は、グロメット本体とパネルの孔との接する面積を小さくすることができる。このため、パネルの孔にグロメットを押し込んで取り付ける際の挿入力、及び、パネルの孔からグロメットを引き抜いて取り外す際の引張力を低減することができる。したがって、グロメットのパネルへの取り付け及びパネルからの取り外しをさらに容易に行うことができる。
【発明を実施するための最良の形態】
【００１８】
以下、本発明の一実施形態にかかるグロメットを、図１乃至図６を参照して説明する。本発明の一実施形態にかかるグロメット１（図１などに示す）は、車両としての自動車の車体を構成するパネル２（図３に示す）に取り付けられる。
【００１９】
グロメット１は、図４に示すように、内側に前記自動車に配索されるとともに前記パネル２に設けられた孔３内を通るワイヤハーネス４を通す。グロメット１は、パネル２との間を水密に保ち、該パネル２との間から内側に水などの水分（液体）が浸入することを防止して、該ワイヤハーネス４に水などの水分（液体）が付着することを防止する。
【００２０】
グロメット１は、ゴムなどの弾性変形自在な弾性材料で構成されている。グロメット１は、図１に示すように、筒状に形成されたグロメット本体５と、第１シール部６と、第２シール部７と、凹溝８と、凸部９とを一体に備えている。
【００２１】
グロメット本体５は、図１又は図３に示すように、大径部１１と、該大径部１１に連なる小径部１２と、大径部１１と小径部１２との間に配された段差部１３と、を一体に備えている。大径部１１と小径部１２とは、それぞれ、円筒状に形成されており、互いに同軸に即ち直列に配されている。そして、大径部１１の内径は小径部１２の内径より大きく、大径部１１の外径は小径部１２の外径より大きい。
【００２２】
大径部１１は、外径が前述したパネル２の孔３の内径より小さく形成されているとともに、内径が前述したワイヤハーネス４外径よりも大きく形成されている。大径部１１は、パネル２の孔３内に挿通されるとともに、内側にワイヤハーネス４を通す。小径部１２は、内径が前述したワイヤハーネス４の外径と略等しくなるように形成されており、当該小径部１２の内面と接触するようにワイヤハーネス４を通す。
【００２３】
段差部１３は、大径部１１の外壁と小径部１２の外壁とを連結する円環状の壁であり、大径部１１と連なる外周部１３ａから小径部１２と連なる内周部１３ｂに向かうにしたがって徐々に該大径部１１から離れる方向に傾斜して形成されている。
【００２４】
前述した構成のグロメット本体５は、ワイヤハーネス４を大径部１１の内側に通すとともに小径部１２に該小径部１２の内面と接触するように通した状態で、前述したパネル２の孔３内に大径部１１が挿通される。
【００２５】
第１シール部６は、グロメット本体５の大径部１１の小径部１２から離れた側の一端部１４、即ちグロメット本体５の一端部１４に設けられている。第１シール部６は、大径部１１の一端部１４から外周方向に突出し且つ該大径部１１の周方向に沿って円環状に設けられている。第１シール部６は、大径部１１の一端部１４から垂直に突出した突出部１５と、該突出部１５に連なり且つ大径部１１の外周面１１ａと平行に間隔をあけて相対する平行部１６とを有した、断面Ｌ字状に形成されている。
【００２６】
前述した構成の第１シール部６は、グロメット本体５の大径部１１がパネル２の孔３内に挿通された際に、当該第１シール部６の平行部１６の先端部１６ａと第２シール部７の後述する先端部１８との間にパネル２を挟んで、該パネル２に係止する。即ち、第１シール部６は、第２シール部７との間にパネル２を挟んで、該パネル２に係止する。
【００２７】
第２シール部７は、グロメット本体５の大径部１１の小径部１２寄りの外周面１１ａから突出して設けられている。第２シール部７は、大径部１１の周方向に沿って円環状に設けられている。第２シール部７は、外周面１１ａから突出するにしたがって徐々に前述した第１シール部６に近づく方向に傾斜した筒状に形成されている。また、第２シール部７の外周面１７は、前述したグロメット本体５の段差部１３の外周面１３ｃと連なっている。
【００２８】
前述した構成の第２シール部７は、グロメット本体５の大径部１１がパネル２の孔３内に挿通された際に、当該第２シール部７の先端部１８と前述した第１シール部６の平行部１６の先端部１６ａとの間にパネル２を挟んで、該パネル２に係止する。即ち、第２シール部７は、第１シール部６との間にパネル２を挟んで、該パネル２に係止する。
【００２９】
凹溝８は、図２又は図３などに示すように、前述したグロメット本体５の大径部１１と第２シール部７とが連なった連結箇所、即ちグロメット本体５と第２シール部７との間に設けられている。凹溝８は、グロメット本体５の段差部１３即ちグロメット本体５及び第２シール部７の外周面１３ｃ，１７から凹に形成されている。凹溝８は、グロメット本体５の周方向に沿って該グロメット本体５の全周に亘って形成されている。即ち、凹溝８はグロメット本体５の周方向に沿って延在している。
【００３０】
凸部９は、図１又は図３などに示すように、前述したグロメット本体５の大径部１１の外周面１１ａから凸に形成されている。凸部９は、グロメット本体５の大径部１１の第１シール部６と第２シール部７との間に配されている。凸部９は、図４又は図６に示すように、グロメット本体５の大径部１１がパネル２の孔３内に挿通されるとともに、前述した第１シール部６と第２シール部７とが互いの間にパネル２を挟んで該パネル２に係止した際に、該孔３の内面３ａを押圧する。
【００３１】
前述した構成のグロメット１は、以下のようにパネル２に取り付けられる。まず、ワイヤハーネス４を、大径部１１の内側に通し且つ小径部１２の内面と接触するように通して、グロメット本体５の内側に通した状態で、グロメット１をグロメット本体５の小径部１２側からパネル２に設けられた孔３内に圧入する。
【００３２】
そして、図３に示すように、第２シール部７が凹溝８を軸に第１シール部６に近づく方向に曲げられて、該第２シール部７がパネル２の孔３内に通されることで、図４に示すように、グロメット本体５の大径部１１がパネル２の孔３内に挿通されるとともに、第２シール部７の先端部１８と第１シール部６の平行部１６の先端部１６ａとの間にパネル２を挟んで、これらの第２シール部７及び第１シール部６が該パネル２に係止する。
【００３３】
さらに、グロメット本体５の大径部１１の第１シール部６と第２シール部７との間に配された凸部９がパネル２の孔３の内面３ａを押圧することで、グロメット本体５の大径部１１がパネル２の孔３内に係止して、パネル２にグロメット１を固定する。こうして、グロメット１は、内側にワイヤハーネス４を通して、パネル２に取り付けられる。
【００３４】
また、前述したように取り付けられたグロメット１は、以下のようにパネル２から取り外される。作業者が、グロメット本体５の大径部１１側をパネル２から離れる方向に引張ることで、図５に示すように、第２シール部７が凹溝８を軸に第１シール部６から離れる方向に曲げられて、該第２シール部７がパネル２の孔３内に通される。そして、グロメット１がパネル２の孔３から引き抜かれる。こうして、グロメット１は、パネル２から取り外される。
【００３５】
本実施形態によれば、第２シール部７がグロメット本体５の外周面１１ａから突出するにしたがって徐々に第１シール部６に近づく方向に傾斜した筒状に形成されるとともに、グロメット本体５と第２シール部７との連結箇所の外周面１３ｃ，１７から凹で且つグロメット本体５の周方向に沿って延在して形成された凹溝８が設けられている。
【００３６】
このため、凹溝８が軸となって第２シール部７を第１シール部６から離れる方向に曲げ易くすることができるので、パネル２の孔３からグロメット１を引き抜いて取り外す際の引張力を低減することができる。したがって、グロメット１のパネル２からの取り外しを容易に行うことができる。
【００３７】
また、凹溝８によって第２シール部７を第１シール部６に近づく方向へより曲げ易くすることができるので、パネル２の孔３にグロメット１を押し込んで取り付ける際の挿入力を低減することができる。したがって、グロメット１のパネル２への取り付けを容易に行うことができる。
【００３８】
さらに、グロメット本体５は、外径がパネル２の孔３の内径よりも小さく形成されているとともに、第１シール部６と第２シール部７との間の当該グロメット本体５の外周面１１ａから凸に形成され且つパネル２の孔３の内面３ａを押圧する凸部９が設けられている。
【００３９】
このため、グロメット本体５とパネル２の孔３との接する面積を小さくすることができるので、パネル２の孔３にグロメット１を押し込んで取り付ける際の挿入力、及び、パネル２の孔３からグロメット１を引き抜いて取り外す際の引張力を低減することができる。したがって、グロメット１のパネル２への取り付け及びパネル２からの取り外しをさらに容易に行うことができる。
【００４０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の一実施形態にかかるグロメットを示す斜視図である。
【図２】図１に示されたグロメットの小径部側から見た平面図である。
【図３】図１に示されたグロメットをパネルの孔に圧入している状態を示す断面図である。
【図４】図１に示されたグロメットをパネルに取り付けた状態を示す断面図である。
【図５】図４に示されたグロメットをパネルの孔から引き抜いている状態を示す断面図である。
【図６】図４中のＶＩ−ＶＩ線に沿った断面図である。
【符号の説明】
【００４２】
１      グロメット
２      パネル
３      孔
３ａ    内面
４      ワイヤハーネス
５      グロメット本体
６      第１シール部
７      第２シール部
８      凹溝
９      凸部
１１ａ  外周面
１３ｃ  外周面
１４    一端部
１７    外周面
【図１】
2009183084.tif 000003
【図２】
2009183084.tif 000004
【図３】
2009183084.tif 000005
【図４】
2009183084.tif 000006
【図５】
2009183084.tif 000007
【図６】
2009183084.tif 000008